(57)【要約】【課題】  血管にカテーテルなどを容易に挿入することができるリザーバ装置を提供する。【解決手段】  リザーバ装置１００は、留置チューブ１３０、リザーバ本体１１０、密閉カバー１２０、を有しており、留置チューブ１３０は、柔軟で少なくとも先端が血管の内部に留置される。リザーバ本体１１０は、留置チューブ１３０の末端が連結されている吐出口１１３と体表に対向する注入口１１２とが内部空間に連通していて体内に留置され、密閉カバー１２０は、柔軟でリザーバ本体１１０の注入口１１２を密閉している。ただし、リザーバ本体１１０の内部空間が注入口１１２から吐出口１１３まで円滑に連通するテーパ形状に形成されていることにより、注入口１１２に挿入されるカテーテルやガイドワイヤが吐出口１１３まで円滑に誘導されるので、カテーテル１４１などをリザーバ装置１００から血管に容易に挿入することができる。【選択図】  図１
2005270557.tif 000002
【特許請求の範囲】
【請求項１】
血管に薬液を注入するために体内に留置されるリザーバ装置であって、
少なくとも先端が前記血管の内部に留置される柔軟な留置チューブと、この留置チューブの末端が連結されている吐出口と体表に対向する注入口とが内部空間に連通していて体内に留置されるリザーバ本体と、このリザーバ本体の注入口を密閉している柔軟な密閉カバーと、
を有しており、
前記リザーバ本体は、前記注入口から前記吐出口まで円滑に連通するテーパ形状に前記内部空間が形成されているリザーバ装置。
【請求項２】
前記注入口と前記吐出口とが直線状に配列されている請求項１に記載のリザーバ装置。
【請求項３】
前記留置チューブと前記リザーバ本体と前記密閉カバーとが非磁性体で形成されている請求項１または２に記載のリザーバ装置。
【請求項４】
前記リザーバ本体と前記密閉カバーとが一体に形成されている請求項１ないし３の何れか一項に記載のリザーバ装置。
【発明の詳細な説明】
【技術分野】
【０００１】
本発明は、血管に薬液を注入するために体内に留置されるリザーバ装置に関する。
【背景技術】
【０００２】
現在、被験者の血管に薬液を注入する場合、シリンダ部材にピストン部材がスライド自在に挿入されている薬液容器に先鋭な注射針を直接に装着し、その注射針を血管に直接に穿刺することがある。しかし、これは注入が長時間となる場合や大容量の薬液を注入する場合には困難なので、このような場合には、薬液容器に柔軟な延長チューブで注射針を連結している。
【０００３】
さらに、被験者が長期間の入院患者などの場合には、何度も注射針を血管に穿刺することが必要となる場合があるので、このような場合には被験者の負担を軽減するリザーバ装置が利用されている。このリザーバ装置とは、被験者の体内に留置するもので、留置チューブとリザーバ本体と密閉カバーからなる。
【０００４】
リザーバ本体は、中空に形成されており、その内部空間には吐出口と注入口とが連通している。留置チューブは、柔軟なシリコンなどで形成されており、その末端はリザーバ本体の吐出口に連結されている。密閉カバーは、柔軟なシリコンなどで膜状に形成されており、リザーバ本体の注入口を密閉している。
【０００５】
上述のような構造のリザーバ装置は、留置チューブの先端が血管の内部に留置され、体表の直下に注入口が位置するように、被験者の体内に留置される。そこで、被験者の血管に薬液を注入する場合には、薬液シリンジの注射針を体表からリザーバ装置の密閉カバーを介してリザーバ本体の内部空間まで穿刺する。
【０００６】
このような状態で薬液シリンジからリザーバ装置の内部空間に薬液を注入すると、この薬液は留置チューブから血管に注入される。なお、密閉カバーは柔軟で耐久性が良好なので、注射針を何度も穿刺しても自然に密閉される。このようなリザーバ装置を利用すれば、被験者の血管に何度も注射針を穿刺する必要がないので、被験者の身体的な負担を軽減することができる。
【０００７】
なお、一般的に血管は体表と略平行に連通しているが、注射針は体表と略直角に穿刺することが容易であるため、リザーバ装置は、注入口と吐出口とが直交する構造に形成されている。現在、上述のようなリザーバ装置として各種の提案がある(例えば、特許文献１〜８参照)。
【特許文献１】特開２０００−１８５０９５号
【特許文献２】特開平０５−１６８６８０号
【特許文献３】特開平０９−０００６２５号
【特許文献４】特開平０９−３０８６８７号
【特許文献５】特開平０９−２８５５３９号
【特許文献６】特開平０８−１７３５２５号
【特許文献７】特開０８−３０８９２５号
【特許文献８】特開平１０−２５８１２１号
【発明の開示】
【発明が解決しようとする課題】
【０００８】
上述のようなリザーバ装置では、注射針を血管に何度も穿刺する必要がなくなるが、当然ながら、その血管は患部に連通している。このため、その血管にカテーテルを挿入したいことがあるが、前述のように、リザーバ装置は注入口と吐出口とが直交している。このため、リザーバ装置の注入口にカテーテルやガイドワイヤを穿刺しても、そのカテーテルを吐出口まで誘導することが困難である。
【０００９】
そこで、現在では患部に連通する血管にリザーバ装置を連結していても、その患部にカテーテルを挿入する場合には、そのカテーテルをリザーバ装置とは相違する位置から血管に穿刺している。このため、カテーテルを挿入する作業が煩雑であり、被験者の身体的な負担も増大している。
【００１０】
本発明は上述のような課題に鑑みてなされたものであり、血管にカテーテルなどを容易に挿入することができるリザーバ装置を提供することを目的とする。
【課題を解決するための手段】
【００１１】
本発明のリザーバ装置は、留置チューブ、リザーバ本体、密閉カバー、を有しており、留置チューブは、柔軟で少なくとも先端が血管の内部に留置される。リザーバ本体は、留置チューブの末端が連結されている吐出口と体表に対向する注入口とが内部空間に連通していて体内に留置され、密閉カバーは、柔軟でリザーバ本体の注入口を密閉している。ただし、リザーバ本体の内部空間は、注入口から吐出口まで円滑に連通するテーパ形状に形成されている。
【００１２】
従って、本発明のリザーバ装置では、柔軟な密閉カバーで密閉されているリザーバ本体の注入口が体表に対向しており、リザーバ本体の吐出口に連結されている留置チューブが血管に留置されているので、薬液シリンジの注射針を体表から密閉カバーを介してリザーバ本体の内部空間まで穿刺し、リザーバ本体の内部空間に薬液を注入すれば、この薬液が留置チューブから血管まで注入される。また、リザーバ本体の内部空間が注入口から吐出口まで円滑に連通するテーパ形状に形成されているので、注入口に挿入されるカテーテルやガイドワイヤが吐出口まで円滑に誘導される。
【００１３】
なお、本発明で云う各種構成は、かならずしも個々に独立した存在である必要はなく、複数の構成が１個の部材として形成されていること、ある構成が他の構成の一部であること、ある構成の一部と他の構成の一部とが重複していること、等も可能である。また、本発明では前後方向を言及しているが、これは方向の相対関係を簡単に説明するために便宜的に規定したものであり、本発明を実施する場合の製造時や使用時の方向を限定するものではない。
【発明の効果】
【００１４】
本発明のリザーバ装置では、リザーバ本体の内部空間が注入口から吐出口まで円滑に連通するテーパ形状に形成されていることにより、注入口に挿入されるカテーテルやガイドワイヤが吐出口まで円滑に誘導されるので、カテーテルなどをリザーバ装置から血管に容易に挿入することができる。
【発明を実施するための最良の形態】
【００１５】
［実施の形態の構成］
本発明の実施の一形態を図面を参照して以下に説明する。本実施の形態のリザーバ装置１００は、図１および図２に示すように、リザーバ本体１１０、密閉カバー１２０、留置チューブ１３０、を有しており、リザーバ本体１１０に密閉カバー１２０と留置チューブ１３０とが一体に装着されている。
【００１６】
より具体的には、リザーバ本体１１０は、シリコンやチタンなどの非磁性体により上面が開口した容器状に形成されており、その内部空間１１１の上面が注入口１１２とされている。密閉カバー１２０は、シリコンなどの柔軟な非磁性体で膜状に形成されており、リザーバ本体１１０の注入口１１２を密閉している。
【００１７】
リザーバ本体１１０の側部には吐出口１１３が形成されており、この吐出口１１３が内部空間１１１の下部に連通されている。留置チューブ１３０も、シリコンなどの柔軟な非磁性体で形成されており、その末端はロックカバー１３１によりリザーバ本体１１０の吐出口１１３に着脱自在に連結されている。
【００１８】
本形態のリザーバ装置１００では、上述のようにリザーバ本体１１０の内部空間１１１に注入口１１２と吐出口１１３とが連通しているが、その内部空間１１１は、注入口１１２から吐出口１１３まで円滑に連通するテーパ形状に形成されている。
【００１９】
［実施の形態の作用］
上述のような構成において、本形態のリザーバ装置１００は、図１(ａ)に示すように、被験者の身体Ｂの内部に留置される。その場合、留置チューブ１３０は先端が被験者の血管(図示せず)の内部に留置され、リザーバ本体１１０は、体表に注入口１１２が対向するように身体Ｂの内部に留置される。
【００２０】
そして、被験者の血管に薬液を注入する場合には、例えば、薬液が充填された薬液シリンジ(図示せず)に注射針１４０を装着し、図１(ｂ)に示すように、この注射針１４０を体表から密閉カバー１２０を介してリザーバ本体１１０の内部空間１１１まで穿刺する。このような状態で、薬液シリンジからリザーバ本体１１０の内部空間１１１に薬液を注入すれば、この薬液が留置チューブ１３０から血管まで注入される。
【００２１】
また、被験者の血管にマイクロカテーテル１４１を挿入する場合は、図１(ｂ)に示すように、注射針１４０を体表から密閉カバー１２０を介してリザーバ本体１１０の内部空間１１１まで穿刺した状態で、図１(ｃ)に示すように、その注射針１４０からリザーバ本体１１０の内部空間１１１までマイクロカテーテル１４１を挿入する。このリザーバ本体１１０の内部空間１１１は、注入口１１２から吐出口１１３まで円滑に連通するテーパ形状に形成されているので、マイクロカテーテル１４１は吐出口１１３まで円滑に誘導されて血管から患部まで到達することになる(図示せず)。
【００２２】
［実施の形態の効果］
本形態のリザーバ装置１００では、リザーバ本体１１０の内部空間１１１が注入口１１２から吐出口１１３まで円滑に連通するテーパ形状に形成されていることにより、注入口１１２に挿入されるカテーテルやガイドワイヤが吐出口１１３まで円滑に誘導されるので、カテーテルをリザーバ装置１００から血管に容易に挿入することができる。
【００２３】
しかも、本形態のリザーバ装置１００では、留置チューブ１３０とリザーバ本体１１０と密閉カバー１２０とが非磁性体で形成されているので、例えば、被験者をＭＲＩ(Magnetic Resonance Imaging)装置やＭＲＡ(MR Angio)装置で磁気断層写真を撮像する場合でも、その撮像に悪影響を及ぼすことがない。
【００２４】
なお、上記形態では説明を簡単とするために、マイクロカテーテル１４１を直接に注射針１４０やリザーバ装置１００に挿入することを例示したが、実際にマイクロカテーテル１４１を使用する場合にはガイドワイヤ(図示せず)などを利用することが好適である。
【００２５】
［実施の形態の変形例］
本発明は上記形態に限定されるものではなく、その要旨を逸脱しない範囲で各種の変形を許容する。例えば、上記形態ではリザーバ装置１００のリザーバ本体１１０と密閉カバー１２０とが別体に形成されていて一体に装着されていることを想定したが、シリコンなどによりリザーバ本体１１０と密閉カバー１２０とを一体に形成することも可能である。
【００２６】
また、上記形態ではリザーバ装置１００の注入口１１１と吐出口１１３とが、従来のリザーバ装置(図示せず)と同様に直交していることを例示したが、図３に例示するリザーバ装置２００のように、注入口１１１と吐出口１１３とが直線状に配列されている形状にリザーバ本体２１０の内部空間２１１が形成されていることも可能である。
【００２７】
この場合、より容易にマイクロカテーテル１４１などをリザーバ装置２００の注入口１１１から吐出口１１３まで誘導することができる。なお、リザーバ本体２１０に連結されている留置チューブ１３０は柔軟なので、連結する血管が体表と略平行に位置していても、問題なく留置チューブ１３０の先端を血管の内部に留置することができる。
【図面の簡単な説明】
【００２８】
【図１】本発明の実施の形態のリザーバ装置の内部構造を示す縦断側面図である。
【図２】リザーバ装置の外観を示す斜視図である。
【図３】一変形例のリザーバ装置の内部構造を示す縦断側面図である。
【符号の説明】
【００２９】
１００，２００    リザーバ装置
１１０    リザーバ本体
１１１    注入口
１１２    内部空間
１１３    吐出口
１２０    密閉カバー
１３０    留置チューブ
【図１】
2005270557.tif 000003
【図２】
2005270557.tif 000004
【図３】
2005270557.tif 000005